(57)【要約】【課題】本発明の目的は、物品を外部から確認でき、再利用が可能な包装容器を提供することにある。【解決手段】包装容器１０は、物品１２の一部を覆う板紙１４、物品１２および板紙１４を収納する袋１６を備える。板紙１４は折り曲げられ、板紙１４が物品１２をカバーする。板紙１４は、物品１２の全てを覆うのではなく、物品１２が外部から視認できるように覆う。板紙１４は、袋１６から取り出された後、箱体２０に変形可能である。物品１２の購入などの時には物品１２を確認することが可能であり、かつ板紙１４の再利用が可能である。【選択図】図１
2011098751.tif 000002
【特許請求の範囲】
【請求項１】
物品を包装する包装容器であって、
両端を有し、箱体を形成するための折り曲げ線、切り込み線、および切り取り線が形成された板紙と、
前記板紙と共に物品を包装する透視材料からなる袋と、
を備え、
前記物品の包装時に、板紙が物品を囲むように、該板紙の両端が互いに対向するように折り曲げまたは湾曲させ、該両端の間に内容物が露出するように隙間を形成し、物品の取り出し後に板紙を箱体に変形できる包装容器。
【請求項２】
前記折り曲げ線が、
前記物品を囲むように板紙を折り曲げるための第１折り曲げ線と、
前記箱体に変形させるための第２折り曲げ線と、
を備えた請求項１の包装容器。
【請求項３】
前記板紙の少なくとも片面に耐水処理および耐油処理が施されている請求項１または２の包装容器。 
【発明の詳細な説明】
【技術分野】
【０００１】
本発明は、飲食物をはじめとした物品を収納する包装容器に関するものである。
【背景技術】
【０００２】
従来、食品などを包装するための包装容器が種々開発され、開示されている（下記の特許文献など）。従来の包装容器は板紙を使用して箱体を形成し、箱体の中に物品を収納する。そして、その状態で顧客に販売をおこなう。販売の際、箱体の外面に文字、写真、絵などを使用して内容物が分かるようにしている。
【０００３】
しかし、箱体に印刷された写真などよりも、実際の物品が確認できる方が安心して購入できる。また、箱体を別途再利用できる方が環境負荷を小さくできる。
【先行技術文献】
【特許文献】
【０００４】
【特許文献１】特許第２７２９５９７号公報
【特許文献２】実用新案登録第３０２６６６９号公報
【特許文献３】実公平４−３３２２１号公報
【特許文献４】実公平２−４８３３７号公報
【特許文献５】実公昭６１−３７７９号公報
【特許文献６】特開２００９−１０７６９４号公報
【発明の概要】
【発明が解決しようとする課題】
【０００５】
本発明の目的は、物品を外部から確認でき、再利用が可能な包装容器を提供することにある。
【課題を解決するための手段】
【０００６】
本発明の包装容器は、両端を有し、箱体を形成するための折り曲げ線、切り込み線、および切り取り線が形成された板紙と、前記板紙と共に物品を包装する透視材料からなる袋とを備える。前記物品の包装時に、板紙が物品を囲むように、該板紙の両端が互いに対向するように折り曲げまたは湾曲させ、該両端の間に内容物が露出するように隙間を形成し、物品の取り出し後に板体を箱体に変形できる。板紙は２種類の形状にされる。
【０００７】
前記折り曲げ線は、前記物品を囲むように板紙を折り曲げるための第１折り曲げ線と、前記箱体に変形させるための第２折り曲げ線とを備える。板紙は、２種類の折り曲げ線を備える。
【０００８】
前記板紙の少なくとも片面に耐水処理および耐油処理が施されている。板紙が物品の水分などで破損しないようにする。
【発明の効果】
【０００９】
本発明によると、板紙の両端で形成された隙間から物品を視認することができ、物品の購入などの時には物品を確認することが可能である。購入時などの安心感を高められる。また、板紙には折り曲げ線、切り込み線、および切り取り線が設けられているため、箱体に容易に変形することが可能である。袋から物品を取り出し後、板紙を箱体に変形させて物品を保管することができる。別途保管容器が必要とならないため、環境への負荷が小さい。袋に入っていた物品の保管以外にも他の物品の収納箱として、再利用も可能である。
【図面の簡単な説明】
【００１０】
【図１】本発明の包装容器の外観を示す図である。
【図２】板紙が箱体に変形した図である。
【図３】板紙の折り曲げ線、切り取り線、切り込み線を示す図である。
【図４】板紙を箱体に変形させる途中の図である。
【図５】天部で蓋をするときの図である。
【図６】箱体の他の状態を示す図であり、（ａ）は側部を曲面にした箱体の図であり、（ｂ）は天部を曲面にした箱体の図である。
【図７】飲料容器を収納した包装容器の外観を示す図である。
【発明を実施するための形態】
【００１１】
本発明の包装容器について図面を使用して説明する。図面は模式的に示したものであり、実際の寸法とは異なる場合がある。
【００１２】
図１に示すように、包装容器１０は、物品１２の一部を覆う板紙１４、物品１２および板紙１４を収納する袋１６を備える。収納される物品１２は、パンなどの通常の食品、農作物、冷凍食品、飲料が入った容器、日用品など限定されない。
【００１３】
板紙１４は紙器用板紙などとして用いられる多層抄き（積層紙）の板紙である。食品を収納することを考慮して、板紙１４はフッ素系樹脂で耐水処理および耐油処理の施されたものを使用するのが好ましい。少なくとも物品１２が接する側の面にこれらの処理を施すが、両面に施しても良い。また、物品１２の種類に応じて耐水処理または耐油処理のいずれか一方でも良い。さらに、板紙１４は抗菌処理の施されたものであっても良い。
【００１４】
長方形の板紙１４が折り曲げられ、物品１２をカバーする。板紙１４は、物品１２の全てを覆うのではなく、物品１２の一部を露出させるようにする。図１では、板紙１４の３箇所を折り曲げ、かつ板紙１４の両端を対向させて隙間ｄを形成している。両端が重ならないため、隙間ｄから物品１２を視認できる。板紙１４で物品１２をカバーすることによって物品１２を保護するのと同時に、物品１２を視認できる。
【００１５】
袋１６はポリエチレンやポリ塩化ビニルなどの透視材料で形成される。袋１６は透明または半透明であり、外部から内部を視認可能である。テープ１８やひもなどで袋１２を密封する。また、袋１２の開口部分を接着剤で閉じるようにしても良い。袋１６は、できる限り板紙１４にフィットさせて、物品１２が板紙１４からずれないようにする。
【００１６】
板紙１４は、袋１６から取り出された後、図２に示す箱体２０に変形可能である。そのために、板紙１４には、板紙１４が箱体２０になったときに底部２２、前側部２４、後側部２６、右側部２８、左側部３０、天部３２、内フラップ部３４、前フラップ部３６、第１差し込み部３８、第２差し込み部４０となる各部がある（図３参照）。前側部２４、後側部２６、右側部２８、および左側部３０は、図２のように、箱体２０になったときの位置に基づいた名称である。
【００１７】
板紙１４には、折り曲げ線ａ、切り込み線ｂ、および切り取り線ｃを有する。折り曲げ線ａで板紙１４を簡単に折り曲げることができる。切り込み線ｂおよび切り取り線ｃは、ミシン目のような状態の線であり、箱体２０にされるときに板紙１４の一部が切り取られたり、切り込みが入れられたりされる。袋１６に入れられるとき、板紙１４の各部は一体となっている。図３では、説明の便宜上、切り込み線ｂと切り取り線ｃを太線で表している。
【００１８】
箱体２０を形成するため、底部２２、前側部２４、後側部２６、右側部２８、左側部３０、および天部３２は長方形である。また、箱体２０になったときに対向する部分は、それぞれ同形状である。底部２２の四辺に対して前側部２４、後側部２６、右側部２８、左側部３０が接続されている。後側部２６において、底部２２と反対側に天部３２が接続されている。底部２２、前側部２４、後側部２６、右側部２８、左側部３０、および天部３２は、折り曲げ線ａを介して接続される。
【００１９】
右側部２８と左側部３０には、折り曲げ線ａを介して連結部４２が接続されている。連結部４２は、箱体２０に変形する際、切り込み線ｂによって切り込みを設けることによって、前側部２４、後側部２６、第１差し込み部３８、内フラップ部３４から分離される。また、各連結部４２には１本の切り込み線ｂｘが設けられている。箱体２０にするときに、切り込み線ｂｘ同士を交差させながら、連結部４２の一部が重ね合わされる（図４参照）。連結部４２は、箱体２０の状態で前側部２４と後側部２６と重なる。
【００２０】
天部３２と第１差し込み部３８が折り曲げ線ａを介して接続されている。前側部２４と内フラップ部３４とが折り曲げ線ａを介して接続されており、折り曲げ線ａの中央部分に切り込み線ｂが設けられている。右側部２８または左側部３０と内フラップ部３４のエッジとの間に第１差し込み部３８が挟み込まれ（図５参照）、簡単に天部３２が開かないようになる。第１差し込み部３８は２段になっており、内フラップ部３４と接する部分の長さを長くし、天部３２が抜けにくくしている。また、第１差し込み部３８は、テーパーを設けたり、角を円弧状にしたりして、差し込みやすくしている。
【００２１】
天部３２において、後側部２６とは反対側に前フラップ部３６が接続されている。前フラップ部３６における、天部２０との接続部中央に第２差し込み部４０が設けられ、前フラップ部３６と第２差し込み部４０は切り込み線ｂで分離できる。箱体２０の状態では、第２差し込み部４０は前側部２４と内フラップ部３４との境界中央の切り込み線ｂに差し込まれる。箱体２０の状態では前側部２４と連結部４２とが重なっており、第２差し込み部４０は、前側部２４と連結部４２との間に入り込み、抜けにくくなる。天部３２が蓋の役割を果たす。
【００２２】
前フラップ部３６と第１差し込み部３８とで囲まれる角部４４は、箱体２０に変形させるときに、切り取り線ｃから分離される。角部４４は、箱体２０の一部にはならない。
【００２３】
図３に示すように、板紙１４は、各角を円弧状にして、物品１２を傷つけたりしないようにしている。
【００２４】
板紙１４は、袋１６に収納された状態と箱体２０の状態との２種類の状態になるため、折り曲げ線ａも２種類となる。袋１６に収納したときの状態にするための第１折り曲げ線ａ１と箱体２０にするための第２折り曲げ線ａ２である。天部３２とその両側の第１差し込み部３２の中央を貫くように第１折り曲げ線ａ１が設けられている。また、後側部２６と天部３２との境界、底部２２と前側部２４との境界、前側部２４と内フラップ部３４との境界となっている折り曲げ線ａは、第１折り曲げ線ａ１と第２折り曲げ線ａ２が一致している。他の折り曲げ線ａは第２折り曲げ線ａ２となっている。板紙１４に２種類の折り曲げ線ａ１，ａ２が設けられることによって、板紙１４が２種類の形状に変形させることができる。
【００２５】
板紙１４を箱体２０に変形させることによって、板紙１４を再利用することが可能となる。袋１６の中に収納されていた物品１２を箱体２０の中に収納しても良いし、他の物品を箱体２０に収納しても良い。そのため、板紙１４には、袋２０に収納された物品１２の内容を印刷表示しても良いし、その以外の文字、絵、模様などを印刷表示しても良い。収納された物品１２の内容を記載したシールなどを袋１６に貼り付けても良い。
【００２６】
以上のように、本発明は板紙１４を２種類の形態に変形させることが可能であるため、物品１２の購入などの時には物品１２を確認することが可能であり、かつ板紙１４の再利用が可能である。購入時などの内容物に対する安心感と環境への負荷を小さくできる。物品１２の保管に箱体２０を使用すれば、別途保管容器を購入する必要はない。箱体２０に収納する物品は、袋１６に入っていた物品１２に限定されないため、使用用途が広くなる。
【００２７】
以上、本発明について実施形態を説明したが、本発明は上記の実施形態に限定されるものではない。箱体２０の形状は、直方体に限定されず、立方体や錐体であっても良い。また、折り曲げ線ａ１，ａ２、切り込み線ｂ、および切り取り線ｃの位置を適宜設定することによって、図６（ａ）、（ｂ）に示すような曲面を有する箱体２０ｂ、２０ｃにすることもできる。
【００２８】
図７に示すように、飲料の入った瓶、ペットボトル、缶などの容器１２ｂを収納する場合、板紙１４ｂを容器１２ｂの周囲に巻き付けるように湾曲させても良い。この場合も板紙１４ｂの両端同士が重ならないようにして、容器１２ｂの一部が見えるようにする。板紙１４ｂの折り曲げ線ａは、第１折り曲ａ１げ線が設けられず、箱体２０を形成するための第２折り曲げ線ａ２のみとなる。
【００２９】
袋１６は物品１２を完全に密封できるものではなく、網状の袋であっても良い。隙間から物品１２を視認できるようにする。板紙１４は、物品１２の形状に応じて折り曲げと湾曲を適宜選択して、物品１２を囲むようにする。
【００３０】
１枚の板紙１４から１種類の箱体２０が形成されるのではなく、複数の箱体２０が形成できるようにしても良い。いずれの箱体２０にするかを選択して、板紙１４から箱体２０に変形させる。そのために、複数の箱体２０に応じた折り曲げ線ａ、切り込み線ｂ、および切り取り線ｃを設ける。
【００３１】
また、１枚の板紙１４を複数に分割し、分割された各部で箱体２０を形成できるようにしても良い。１枚の板紙１４から複数個の箱体２０を形成することができる。
【００３２】
その他、本発明は、その主旨を逸脱しない範囲で当業者の知識に基づき種々の改良、修正、変更を加えた態様で実施できるものである。
【符号の説明】
【００３３】
１０：包装容器
１２：物品
１４：板紙
１６：袋
１８：テープ
２０：箱体
２２：底部
２４：前側部
２６：後側部
２８：右側部
３０：左側部
３２：天部
３４：内フラップ部
３６：前フラップ部
３８：第１差し込み部
４０：第２差し込み部
４２：連結部
４４：角部 
【図１】
2011098751.tif 000003
【図２】
2011098751.tif 000004
【図３】
2011098751.tif 000005
【図４】
2011098751.tif 000006
【図５】
2011098751.tif 000007
【図６】
2011098751.tif 000008
【図７】
2011098751.tif 000009